(57)【特許請求の範囲】
【請求項１】
頂板部及びスカート部から成り、頂板部には内容物取出用開口を形成する弱化部及び該弱化部よりも外周側内面に位置するインナーリングが設けられており、スカート部及びインナーリングにより容器口部に嵌合されるキャップ本体、キャップ本体のスカート部外周に嵌合される環状側壁、及びキャップ本体の頂板部を覆うように開閉可能に固定される上蓋から成り、キャップ本体と環状側壁が互いに係合する係合部を有するキャップにおいて、該環状側壁には上下方向に延びる幅広の薄肉部及び破断可能な弱化部が設けられていることを特徴とするキャップ。
【請求項２】
前記上蓋が環状側壁にヒンジ連結され、該環状側壁にはヒンジの両側から下端に向かう弱化部が設けられている請求項１記載のキャップ。
【請求項３】
前記上蓋がキャップ本体にヒンジ連結され、該環状側壁には、軸線方向と周方向に延びる弱化部により裂取部が形成されている請求項１記載のキャップ。
【請求項４】
前記キャップ本体には弱化部が形成され、該弱化部がスカート部下端から上方に向かって形成されるスコア又はスリットである請求項１乃至３のいずれかに記載のキャップ。
【発明の詳細な説明】
【０００１】
【産業上の利用分野】
本発明は、容器口部から容易に除去することができるキャップに関するものであり、より詳細には容器とキャップとを分別廃棄するに際し、キャップを容器口部から容易に取り外すことができるキャップに関する。
【０００２】
【従来の技術】
近年のゴミ問題及び資源のリサイクル等の観点から、ゴミをその素材ごとに分別して廃棄することが必要になっている。従来より食品等の容器においては、内容物の保存性等の見地からガラス瓶や樹脂製容器等が多く使用されており、この容器に成形性、取扱性等の見地から異なる材質から成る樹脂製キャップが適用されている。
このような異素材から成る容器及びキャップにおいては、内容物がなくなり容器を処分する際には、キャップを容器から取外し、容器とキャップを分別して廃棄する必要がある。
【０００３】
キャップを容器口部から容易に取外すことができるようにしたキャップも既に知られている。例えば、キャップ本体とこれにヒンジ連結された上蓋から成り、キャップ本体にヒンジに対応する位置に弱化線を設け、且つ該弱化線に連続して軸線方向の弱化線を設け、上蓋をキャップ本体方向に引張ることにより弱化線が破断されて容器口部からキャップ本体が取り外せるようにしたキャップが知られている（実開平５−３４１５１号公報）。
【０００４】
【発明が解決しようとする課題】
しかしながら、このようなキャップにおいては、キャップを容器に固定するために、容器口部に設けられた係合用突起とキャップ本体内面に設けられた係合用突起を打栓により係合させるため、打栓時にキャップ本体の係合用突起が容器口部の係合用突起を乗り越えなければならず、この際キャップ本体のスカート部が半径方向に拡がって弱化線が破断されてしまうという問題がある。
また、キャップ本体と上蓋とが一体に成形されているため、弱化線を破断して容器口部からキャップ本体を取外す際に、ヒンジに対応する周方向の弱化線と軸線方向の弱化線の両方を破断しなければならず、取外しが容易ではないという問題がある。
【０００５】
従って本発明の目的は、キャップ破壊用の弱化線が打栓操作によって破断されることがなく、しかも容器口部から除去容易なキャップを提供するにある。
【０００６】
【課題を解決するための手段】
本発明によれば、頂板部及びスカート部から成り、頂板部には内容物取出用開口を形成する弱化部及び該弱化部よりも外周側内面に位置するインナーリングが設けられており、スカート部及びインナーリングにより容器口部に嵌合されるキャップ本体、キャップ本体のスカート部外周に嵌合される環状側壁、及びキャップ本体の頂板部を覆うように開閉可能に固定される上蓋から成り、キャップ本体と環状側壁が互いに係合する係合部を有するキャップにおいて、該環状側壁には上下方向に延びる幅広の薄肉部及び破断可能な弱化部が設けられていることを特徴とするキャップが提供される。
【０００７】
本発明において、環状側壁に設けられる薄肉部は環状側壁の面積の５乃至３５％の割合で、平均肉厚が０．３５乃至０．５５ｍｍとなるように設けることが好ましく、また薄肉部は通常２個以上に分散して設けることが好ましく、更にヒンジ部を中心に対称に設けることが特に好ましい。
【０００８】
【作用】
本発明のキャップは、キャップ本体及び上蓋がヒンジ連結された環状側壁の組合せ、または環状側壁及び上蓋がヒンジ連結されたキャップ本体の組合せから成る２ピース構造であり、環状側壁がキャップ本体を覆ってこれを固定し、キャップ本体及び環状側壁が合体した状態で打栓に付されるものであるが、キャップ本体においては外側から環状側壁で拘束されているため拡がりにくく、また環状側壁においては直接力を受けないため、弱化部が環状側壁に設けられていても破断されにくいのである。
しかも、環状側壁には薄肉部が設けられているため、環状側壁が打栓の際に応力を受けた場合にも、薄肉部が伸びることによってその応力を緩和し、環状側壁に設けられた弱化部が破断するのを有効に防止することができるのである。
【０００９】
また本発明のキャップにおいては、容器を廃棄する際に、まず環状側壁に設けられた弱化部を破断してこれをキャップ本体から取外すことにより、キャップを容器口部から容易に取外すことができるのである。またキャップ本体に、スコアまたはスリットを設けてもよく、この場合にはキャップ本体を容器口部から更に簡単に取外すことができる。
【００１０】
本発明において環状側壁に設ける薄肉部は、環状側壁の外周側面の５乃至３５％の面積を有していることが好ましい。上記範囲よりも薄肉部が少ないと打栓の際の応力緩和を十分に行うことができず弱化部が破断するおそれがあり、また上記範囲よりも薄肉部が多いとキャップとしての剛性に欠けることになり好ましくない。また、キャップの肉厚は、打栓のしやすさから下方に行くにしたがって薄肉になっていることが好ましく、このため薄肉部の平均肉厚は０．３５乃至０．５５ｍｍ程度の厚みであることが好ましい。薄肉部が上記範囲よりも厚肉であれば打栓の際に伸びることが困難になり薄肉部としての機能を発揮し得ない。また上記範囲よりも薄肉であれば、キャップとしての保持力に欠け、また打栓時に薄肉部自体が破断してしまうおそれがあり好ましくない。
【００１１】
【実施例】
以下、本発明のキャップを添付図面を用いて詳細に説明する。
図１は、本発明のキャップの一例を示す図であり、（Ａ）は上面図、（Ｂ）は（Ａ）のＸ−Ｘ側断面図をそれぞれ表わす。図１において、全体を１で表わす本発明のキャップは、容器口部（図示せず）に嵌合されるキャップ本体２と、環状側壁３及び上蓋４から成っている。また図２は、図１に示す本発明のキャップにおいて上蓋を開いた状態の、上蓋付環状側壁及びキャップ本体の分解斜視図（一部断面で示す）であり、（Ａ）は環状側壁及び上蓋を、（Ｂ）はキャップ本体をそれぞれ示す。
【００１２】
キャップ本体２は、頂板部５及びスカート部６から成り、頂板部５の中央部には開口予定部７を区画するスコア８が設けられ、スコア８で区画される部分（すなわち開口予定部７）には、開封時にスコア８を破断する手掛かりとなる開封用タブ９が設けられている。この開口予定部７の周囲には注出筒１０が設けられている。この注出筒１０は内容物が取出される際のノズルの役割を有すると共に、タブを引上げ開口を作成した後にキャップ外面が内容物で汚れないような役割を有している。また頂板部５の内面側にはスコア８より外周側に位置するインナーリング１１が設けられ、スカート部６と共に容器口部を嵌合し、密封する。スカート部６の外周面には、後述する環状側壁の係合突起が係合する環状凹部１２が設けられている。
更に、図２に示す態様においてはキャップ本体２のスカート部６の外面には弱化部を設けていないが、図３に示すようにスカート部下端から上方に延びるスリット１３，１３が複数個設けられていてもよい。
【００１３】
環状側壁３は、上端に周方向内側に張り出したフランジ１４が設けられ、フランジ１４がキャップ本体の環状凹部１２と係合する係合部（係合突起１４）を形成し、これにより環状側壁３はキャップ本体２に固定される。またフランジ１４には、上蓋４に設けられた係止用突起１５と係止して上蓋４を固定する係止用突起１６が設けられている。
図２に示すように、環状側壁３には薄肉部１７が設けられている。図に示す具体例では、薄肉部１７は、図１（Ａ）のＸ−Ｘ線に対して対称に２個設けられており、これにより、打栓時の弱化部の破断を防止している。
【００１４】
環状側壁３に設けられたフランジ（係合突起）１４は、ヒンジ部に対応する部分に切欠１９を有しており、この切欠１９に続いてヒンジ１８の両脇から下端に延びる弱化部２０ａ，２０ｂが設けられ、これにより環状側壁３を容易に破壊できる。
また、図１（Ｂ）のＹ−Ｙ断面を示す図４において、環状側壁３は、弱化部２０ａ及び２０ｂで挟まれる部分２１が弱化部２０の付近で厚肉になっており、これにより弱化部２０の破断がより確実になる。
図５は、弱化部２０及び薄肉部１７の断面形状を示す図であり、（Ａ）は図２（Ａ）において、環状側壁３のみの上面図、（Ｂ）は（Ａ）のＺ−Ｚ側断面図をそれぞれ表わす。
図５（Ｂ）からわかるように、薄肉部１７は下方に向かって漸次肉薄となっている。従って前述した薄肉部の平均肉厚とは、フランジ１４の下端部から環状側壁３の下端までの長さ（Ｓで示す部分）の平均肉厚をいう。
【００１５】
上蓋４は、図１に示すように、頂板部２２及びスカート部２３から成り、頂板部内面にはキャップ本体の注出筒１０と当接してキャップの密封性を保持する密封部２４が設けられている。上蓋４は環状側壁とヒンジ１８により連結されており、このヒンジ１８と対向する位置で係止用突起１５及び１６の係止を解除するための開栓用片２５が設けられている。
【００１６】
本発明の他の一例を説明する。図６は、上蓋を開いた状態の上蓋付環状側壁及びキャップ本体の分解斜視図（一部断面で示す）であり、（Ａ）は環状側壁及び上蓋を、（Ｂ）はキャップ本体をそれぞれ示すものである。この態様は基本的には前述したものと同じであり、環状側壁３に設けられた係合突起１４が図２に示す態様のもの以外に下方にも設けられると共に、キャップ本体スカート部６にも環状凹部１２が設けられている点、またキャップ本体には弱化部としてスコア１３が設けられている点において第一の態様のキャップと異なっている。この態様によれば、環状側壁とキャップ本体の係合がより確実になると共に、キャップの密封性を保持しながら環状側壁取外し後のキャップ本体の除去が容易になる。
【００１７】
図７及び８は、本発明のキャップの容器口部からの取外しを説明するための斜視図であり、図６に示した本発明のキャップの一例について説明する。図７に示すように、まず上蓋４を図の矢印Ｐの方向に引張って環状側壁に設けられた弱化部２０ａ，２０ｂを破断して、環状側壁を破壊してキャップ本体から取外す。次いでキャップ本体に設けられたスコア１３を破断するようにキャップ本体下部をを図８の矢印Ｑの方向に引き上げることによりキャップ本体を容器口部から取外すことができる。上蓋４を下方に下げて弱化部２０ａ，２０ｂを破断すると、ヒンジ１８で連結された上蓋４と、弱化部２０ａ，２０ｂで挟まれた部分２１は環状側壁３から離脱し、環状側壁３は図９に示すような形になって、これによりキャップ本体から容易に取外すことができるのである。
【００１８】
本発明の他の一例を示す図１０において、上蓋４はキャップ本体２にヒンジ連結されており、また環状側壁３には、環状側壁下端から周方向上方に延び、次いで軸線方向上方に向かい、更に周方向を逆向きに延びて上端に至る弱化部３０が設けられている。これにより環状側壁３には、環状側壁破壊の手掛かりとなる裂取部３１が形成される。
この態様において、キャップを容器口部から取外すには、先ず裂取部３１を持ち上げ弱化部３０に沿って環状側壁３を破壊する。次いでスリット１３が設けられたキャップ本体２を取外せばよい。この態様においても、キャップは環状側壁及びキャップ本体が一体となって容器口部に打栓されるが、やはり２ピースの構造であると共に、環状側壁に薄肉部が設けられているので、打栓により環状側壁の弱化部が破断されることはないのである。
【００１９】
本発明においては、上述した具体例に限定されることなく、種々の変更をすることができる。
例えば、環状側壁に設ける薄肉部は、キャップのデザインを考慮して設けることができ、また内面側に設けても勿論よい。
また、上蓋はキャップ本体または環状側壁とヒンジで連結されたもののみならず、螺子により係合するようなものでもよい。この場合は、環状側壁は図１０に示したようなものを採用すればよい。
【００２０】
また、本発明のキャップは２ピース構造であるので、キャップ本体の肉厚を１ピースのキャップに比して薄くすることができ、キャップ本体に弱化部を設けなくてもキャップ本体を容易に破壊することができるが、キャップ本体を更に容易に取り外すには、キャップ本体に弱化部を設けることが特に好ましい。またキャップ本体に設ける弱化部は、下端部をスリットとし、このスリットに連なって上方にスコアを設けてもよいし、図３に示した例のように上端近傍まで延びるスリットとしても、外側から環状側壁で固定されるので、キャップとしての機能には何等影響を及ぼすことがない。
キャップ本体の弱化部は少なくとも一つ設けられていればキャップ本体を容易に取り外すことができるが、破壊しやすさの点からは２つ以上設けることが好ましい。
【００２１】
【発明の効果】
本発明によれば、容器を廃棄する際に、容器口部から容易にキャップを取り外すことができる。しかもキャップを容器口部に取り付ける際の打栓操作によりキャップが損傷することも有効に防止される。
【図面の簡単な説明】
【図１】本発明のキャップの一例の平面図及び側断面図である。
【図２】図１に示すキャップの斜視図である。
【図３】キャップ本体の別の態様を示す斜視図である。
【図４】図１に示すキャップの横断面図である。
【図５】キャップ本体の弱化部及び薄肉部の断面形状を示す図である。
【図６】本発明のキャップの他の一例の斜視図である。
【図７】本発明のキャップの容器口部からの取り外し方法を説明するための図である。
【図８】本発明のキャップの容器口部からの取り外し方法を説明するための図である。
【図９】図６に示すキャップにおいて、上蓋取外し後の環状側壁を示す図である。
【図１０】本発明のキャップの他の一例の斜視図である。
【符合の説明】
１    キャップ
２    キャップ本体
３    環状側壁
４    上蓋
１２  環状凹部
１３  弱化部
１４  フランジ（係合突起）
１７  薄肉部
１８  ヒンジ
１９  切欠
２０  弱化部
【図１】
0003606616.tif 000002
【図２】
0003606616.tif 000003
【図３】
0003606616.tif 000004
【図４】
0003606616.tif 000005
【図５】
0003606616.tif 000006
【図６】
0003606616.tif 000007
【図７】
0003606616.tif 000008
【図８】
0003606616.tif 000009
【図９】
0003606616.tif 000010
【図１０】
0003606616.tif 000011